(57)【特許請求の範囲】
【請求項１】
管長手方向に対して位置決めした状態で管周方向に回動自在に管を把持可能な切断具本体に、管切断用刃部を設け、
前記管を把持している前記切断具本体の回動操作で、前記管を管周方向に沿って切断可能に構成してある管切断具であって、
前記切断具本体の回動操作に伴って、前記管の切断位置から管長手方向に所定距離だけ離れた管外周面にマークを形成可能なマーカーを、管長手方向に位置変更自在に前記切断具本体に固定してある指標部材に設け、
前記切断具本体に基準指標を設けるとともに、前記指標部材に管の径毎に応じた複数のマーキング用指標を設けて、
前記指標部材の固定位置を変更して、前記マーキング用指標の一つを前記基準指標に合わせることにより、前記所定距離を管の径に応じた距離に設定可能に構成してある管切断具。
【請求項２】
前記管は管本体を被覆体で被覆して構成してあり、
前記切断具本体で管を把持するときに前記被覆体の端面に合わせる切断用指標を、前記刃部から管長手方向に所定長さだけ離れた位置に設けてある請求項１記載の管切断具。
【請求項３】
前記切断用指標を前記指標部材に設けてある請求項２記載の管切断具。
【発明の詳細な説明】
【０００１】
【発明の属する技術分野】
本発明は、管長手方向に対して位置決めした状態で管周方向に回動自在に管を把持可能な切断具本体に、管切断用刃部を設け、前記管を把持している前記切断具本体の回動操作で、前記管を管周方向に沿って切断可能に構成してある管切断具に関する。
【０００２】
【従来の技術】
上記管切断具は、例えば、継手に接続しようとする管を、配管現場において、継手の実際の取り付け位置に基づいて、いわゆる現場合わせで求めた必要長さに簡便に切断することができ、コルゲート管を被覆体で被覆してある可撓管を、可撓管の切断端部を所定の挿入深さで挿入することにより簡便に接続できる、いわゆる、ワンタッチ継手に接続するために切断する際にも使用されている。
【０００３】
このワンタッチ継手Ｂは、例えば特開２０００−１８６７９３号公報に記載されており、図１，図２に示すように、内部奥側に環状のシール材４を装着してある筒状本体２と、先端部を筒状本体２の内部にねじ込んである止輪３とを備え、止輪３の先端部内周には止輪３の先端側に向かって拡径する内周テーパ面５を形成し、縮径方向に付勢してある環状のリテーナ６をシール材４と止輪３との間の筒状本体２の内部に装着し、リテーナ６には内周テーパ面５に摺接可能な外周テーパ面７とコルゲート管Ａ１の外周谷部８に係合可能な突部９とを設けてある。
【０００４】
そして、リテーナ６の突部９がコルゲート管Ａ１の外周谷部８に係合するように被覆体Ａ２を予め取り除いてある可撓管Ａの切断端部を作業者が手に持って、所定の挿入深さＤで止輪３の内側を通して継手Ｂに押し込むように挿入し、コルゲート管Ａ１の外周山部１０でリテーナ６を付勢力に抗して弾性的に押し拡げながら筒状本体２の奥側に入り込ませて、シール材４の内周面と外周山部１０との接触でコルゲート管Ａ１と筒状本体２との隙間をシールするとともに、リテーナ６の突部９をコルゲート管Ａ１の外周谷部８に係合させ、可撓管Ａが抜け出し方向に引っ張られたときには、リテーナ６の外周テーパ面７を止輪３の内周テーパ面５に押し付て、突部９を外周谷部８に食い込ませるようにリテーナ６を縮径方向に押圧するようにして、可撓管Ａを抜け止め状態で接続できるようにしてある。
【０００５】
従って、上述のようなワンタッチ継手Ｂに可撓管Ａを接続する場合は、可撓管Ａの切断位置から所定長さＬ分の被覆体Ａ２を予め取り除いた状態で、その切断端部を所定の挿入深さＤで継手Ｂに挿入しなければ、所定の接続状態を確保することができないので、作業者は、可撓管Ａの切断位置から被覆体Ａ２の端面Ａ３までの長さを測って所定長さＬ分の被覆体Ａ２を取り除いてあるか否かを確認する必要があるとともに、可撓管Ａの切断位置から所定の挿入深さＤに相当する距離だけ離れた位置の可撓管外周面（被覆体外周面）にマークＭを書き込んでおいて、そのマークＭの位置まで挿入してあるか否かを確認する必要がある。
【０００６】
そこで、これらの確認作業が容易に行えるように、従来、例えば特開２００１−１０８１７３号公報に記載されているように、可撓管の先端に係合させる係合部を一端側に備えた当て板に、可撓管の切断位置から所定長さ分の被覆体を取り除いてあるか否かを確認するための指標と、可撓管の切断位置から所定の挿入深さに相当する距離だけ離れた位置の可撓管外周面にマークを書き込むための貫通孔とを設けてあるテンプレート状治具を使用して、被覆体を取り除いてある可撓管の先端、つまり、コルゲート管の先端に係合部で係合させた当て板を可撓管の外周面に長手方向に沿って当て付けて、被覆体の端面の位置が指標の位置と一致しているか否かに基づいて所定長さ分の被覆体を取り除いてあるか否かを確認し、また、貫通孔を通してマーカーペンで可撓管外周面にマークを書き込んでいる。
【０００７】
尚、図１，図２で示したワンタッチ継手Ｂのように、継手Ｂの内側に水などが侵入しないように、止輪３の内周側に環状のパッキン材１２を装着してあって、可撓管Ａの切断端部を所定の挿入深さＤまで継手Ｂに押し込んだ状態で、止輪３と被覆体Ａ２との隙間をパッキン材１２でシールするようにしてある場合は、被覆体Ａ２を取り除き過ぎると、止輪３と被覆体Ａ２との隙間をシールできなくなるので、この場合も、テンプレート状治具の当て板に設けてある指標で所定長さ分の被覆体を取り除いてあるか否かを確認している。
【０００８】
【発明が解決しようとする課題】
このため、一人作業で可撓管外周面にマークを書き込む場合は、テンプレート状治具を可撓管の外周面に当て付けて、片手で可撓管と共にしっかりと保持しながら、残りの片手でマーカーペンを掴んでマークを書き込む必要があり、作業姿勢が不安定になりやすい高い場所や、両手を思うように動かしにくい狭い場所で可撓管を切断した場合は、その場で能率良くマークを書き込みにくい欠点があるとともに、所定長さ分の被覆体を取り除いてあるか否かも確認しにくい欠点もある。
【０００９】
本発明は上記実情に鑑みてなされたものであって、高い場所や狭い場所で管を切断した場合でも、必要なマークをその場で能率良く管外周面に形成できるようにすることを目的とする。
【００１０】
また、他の目的は、管本体を被覆体で被覆してある管を、切断位置から所定長さ分の被覆体を取り除いてあるか否かを特に確認することなく、切断位置から所定長さ分の被覆体を取り除いてある状態で確実に切断できるようにすることにある。
【００１１】
【課題を解決するための手段】
請求項１記載の発明の特徴構成は、管長手方向に対して位置決めした状態で管周方向に回動自在に管を把持可能な切断具本体に、管切断用刃部を設け、前記管を把持している前記切断具本体の回動操作で、前記管を管周方向に沿って切断可能に構成してある管切断具であって、前記切断具本体の回動操作に伴って、前記管の切断位置から管長手方向に所定距離だけ離れた管外周面にマークを形成可能なマーカーを、管長手方向に位置変更自在に前記切断具本体に固定してある指標部材に設け、前記切断具本体に基準指標を設けるとともに、前記指標部材に管の径毎に応じた複数のマーキング用指標を設けて、前記指標部材の固定位置を変更して、前記マーキング用指標の一つを前記基準指標に合わせることにより、前記所定距離を管の径に応じた距離に設定可能に構成してある点にある。
【００１２】
〔作用〕
管を管周方向に沿って切断するための切断具本体の回動操作に伴って、マーカーを管外周面に沿って管周方向に移動させて、管の切断位置から管長手方向に所定距離だけ離れた管外周面にマークを形成できる。
また、マークを形成するべき管外周面の位置が管径に応じて異なるような場合に、指標部材の固定位置を変更して、マーキング用指標の一つを基準指標に合わせることにより、所定距離を管の径に応じた距離に設定して、その管径に応じた位置の管外周面にマークを形成できる。
【００１３】
〔効果〕
高い場所や狭い場所で管を切断した場合でも、その切断後にテンプレート状治具を使用してマークを書き込むような作業が不要で、必要なマークをその場で能率良く管外周面に形成できる。
【００１４】
また、コルゲート管のような管本体を被覆体で被覆してある可撓管を高い場所や狭い場所で切断して、その切断端部を所定の挿入深さで挿入することにより簡便に接続できる、いわゆる、ワンタッチ継手にその場で接続するような場合でも、可撓管の切断位置から所定の挿入深さに相当する距離だけ離れた位置の可撓管外周面に容易にマークを形成できる。
そのうえ、マークを形成するべき管外周面の位置が管径に応じて異なるような場合でも、一つの管切断具で管径に応じた位置の管外周面に形成することができ、コルゲート管のような管本体を被覆体で被覆してある可撓管をワンタッチ継手に接続するような場合に、管径に応じた所定の挿入深さに相当する距離だけ離れた位置の可撓管外周面に容易にマークを形成できる。
【００１５】
【００１６】
【００１７】
【００１８】
請求項２記載の発明の特徴構成は、前記管は管本体を被覆体で被覆して構成してあり、前記切断具本体で管を把持するときに前記被覆体の端面に合わせる切断用指標を、前記刃部から管長手方向に所定長さだけ離れた位置に設けてある点にある。
【００１９】
〔作用〕
管本体を被覆体で被覆してある管を、切断位置から所定長さ分の被覆体を取り除いた状態で切断する場合に、所定長さ分以上の被覆体を予め取り除いておいて、刃部から管長手方向に所定長さだけ離れた位置に設けてある切断用指標がその被覆体の端面に合うように、切断具本体で管を把持して、その切断具本体を回動操作すれば、切断位置から所定長さ分の被覆体を取り除いた状態で管本体を切断できる。
【００２０】
〔効果〕
コルゲート管のような管本体を被覆体で被覆してある管を、切断位置から所定長さ分の被覆体を取り除いてあるか否かを特に確認することなく、切断位置から所定長さ分の被覆体を取り除いてある状態で確実に切断できる
【００２１】
請求項３記載の発明の特徴構成は、前記切断用指標を前記指標部材に設けてある点にある。
【００２２】
〔作用〕
被覆体を取り除くべき切断位置からの所定長さが管径に応じて異なるような場合に、その管径に応じた所定長さ分の被覆体を取り除いた状態で管本体を切断できるように、指標部材の固定位置を管長手方向に変更できる。
【００２３】
〔効果〕
被覆体を取り除くべき切断位置からの所定長さが管径に応じて異なるような場合でも、一つの管切断具で簡便に対応することができる。
【００２４】
【発明の実施の形態】
以下に本発明の実施の形態を図面に基づいて説明する。尚、図面において従来例と同一の符号で表示した部分は、同一又は相当の部分を示している。
【００２５】
〔第１実施形態〕
図１，図２は、金属製のコルゲート管Ａ１を樹脂製の被覆体Ａ２で被覆してあるガス供給用可撓管Ａの切断端部を所定の挿入深さＤで挿入して抜け止め状態に接続する所謂ワンタッチ継手Ｂを示し、図３は、可撓管Ａをワンタッチ継手Ｂに所定の挿入深さＤで挿入して接続する際に、その可撓管を切断するために使用する本発明による管切断具Ｃを示している。
【００２６】
前記ワンタッチ継手Ｂは、図１，図２に示すように、ガス管などに接続するための雄ネジ部１を設けてある筒状本体２と、先端部を筒状本体２の内部にねじ込んである止輪３とを備え、筒状本体２の内部奥側には環状のシール材４を装着し、止輪３の先端部内周には止輪３の先端側に向かって拡径する内周テーパ面５を形成し、縮径方向に付勢してある環状のリテーナ６をシール材４と止輪３との間の筒状本体２の内部に装着し、リテーナ６には内周テーパ面５に摺接可能な外周テーパ面７とコルゲート管Ａ１の外周谷部８に係合可能な突部９とを設けてある。
【００２７】
そして、リテーナ６の突部９がコルゲート管Ａ１の外周谷部８に係合するように、被覆体Ａ２をコルゲート管Ａ１の外周山部１０の６山分に寸法公差を加えた長さとして規定してある切断位置から所定長さＬ分だけ取り除くとともに、切断位置から所定の挿入深さＤに相当する距離だけ離れた位置の可撓管外周面（被覆体外周面）にマークＭを書き込んである可撓管Ａの切断端部を作業者が手に持って、止輪３の内側を通して継手Ｂに押し込むように挿入し、マークＭが止輪３の後端面１１の位置まで移動する所定の挿入深さＤになるように、コルゲート管Ａ１の外周山部１０でリテーナ６を付勢力に抗して弾性的に押し拡げながら筒状本体２の奥側に入り込ませて、シール材４の内周面と外周山部１０との接触でコルゲート管Ａ１と筒状本体２との隙間をシールするとともに、リテーナ６の突部９をコルゲート管Ａ１の外周谷部８に係合させ、可撓管Ａが抜け出し方向に引っ張られたときには、可撓管Ａとともに移動するリテーナ６の外周テーパ面７を止輪３の内周テーパ面５に押し付て、突部９が外周谷部８に食い込むようにリテーナ６を縮径方向に押圧するようにして、可撓管Ａを抜け止め状態で接続できるようにしてある。
【００２８】
また、継手Ｂの内側に水などが侵入しないように、止輪３の内周側に環状のパッキン材１２を装着して、可撓管Ａの切断端部を所定の挿入深さＤまで継手Ｂに押し込んだ状態で、止輪３と被覆体Ａ２との隙間をパッキン材１２でシールするようにしてある。
【００２９】
前記管切断具Ｃは、図３に示すように、可撓管Ａを把持可能な切断具本体１３に、円盤状の回転刃体（管切断用刃部）１４を設けて、可撓管Ａを把持している切断具本体１３の回動操作で、可撓管Ａを管周方向に沿って切断可能に構成してある。
【００３０】
前記切断具本体１３は、一対の樹脂製小径ローラ１５と、これらの小径ローラ１５に対して管径方向で対向するように設けた樹脂製大径ローラ１６とを回転自在に支持して、被覆体Ａ２を取り除いて露出させたコルゲート管Ａ１の端部を、一対の小径ローラ１５と大径ローラ１６とで管径方向から挟み込んで、管長手方向に対して位置決めした状態で管周方向に回動自在に把持できるようにしてある。
【００３１】
前記大径ローラ１６は、操作部材１７の正逆回転操作で小径ローラ１５側に向けて出退移動自在に設けた可動部材１８に回転自在に支持してあり、この大径ローラ１６の長手方向中間位置に回転刃体１４を同芯状に支持し、切断具本体１３でコルゲート管Ａ１を把持して、操作部材１７の操作で回転刃体１４をコルゲート管Ａ１の外周谷部８に押し付けた状態での切断具本体１３の回動操作で、コルゲート管Ａ１の外周谷部８を管周方向に沿って切断できるようにしてある。
【００３２】
そして、切断具本体１３の回動操作に伴って、コルゲート管Ａ１の切断位置から管長手方向に所定距離（挿入深さ）Ｄだけ離れた管外周面（被覆体外周面）にマークＭを形成可能なマーカー１９を、切断具本体１３に設けてある。
【００３３】
前記マーカー１９は、切断具本体１３で把持しているコルゲート管Ａ１の長手方向に位置変更自在に固定してある帯板材２０に、油性インクを含浸させたフェルトペンなどのマーカーペン２１を差し込む差込孔２２を形成してあるペン支持部材２３を固定して構成してあり、コルゲート管Ａ１を切断するための切断具本体１３の回動操作に伴って、差込孔２２に差し込んであるマーカーペン２１で、コルゲート管Ａ１の切断位置から所定の挿入深さＤに相当する距離だけ離れた位置の管外周面（被覆体外周面）にマークＭを書き込めるようにしてある。
【００３４】
前記帯板材２０は、図４にも示すように、切断具本体１３に固定してあるガイド板２４に沿って長手方向にスライド移動自在に装着して、その長手方向に沿って形成した長孔２５に挿通してある固定用ネジ２６で切断具本体１３に締め付け固定してあり、ガイド板２４に設けた基準指標Ｐに合わせるマーキング用指標Ｑ（Ｑ１〜Ｑ４）を、長孔２５に沿って、コルゲート管Ａ１の複数種類の呼び径毎に設けてある。
【００３５】
そして、固定用ネジ２６を緩めて、コルゲート管Ａ１の呼び径（図４では呼び径２０Ａ）に応じたマーキング用指標Ｑ（Ｑ３）が基準指標Ｐに一致するように、帯板材２０を長手方向にスライド移動させて、固定用ネジ２６で切断具本体１３に固定することにより、切断具本体１３の回動操作に伴って、切断位置からワンタッチ継手Ｂへの挿入深さＤに相当する距離だけ離れた位置の管外周面（被覆体外周面）にマークＭを書き込めるようにしてある。
【００３６】
〔第２実施形態〕
図５は、管切断具Ｃの別実施形態を示し、指標部材としての帯板材２０の長孔２５に沿って、マーキング用指標Ｑ（Ｑ１〜Ｑ４）と、切断具本体１３でコルゲート管Ａ１を把持するときに被覆体Ａ２の端面Ａ３に合わせる切断用指標Ｒ（Ｒ１〜Ｒ４）とを、コルゲート管Ａ１の複数種類の呼び径毎に関連付けて設けてある。
【００３７】
前記切断用指標Ｒ（Ｒ１〜Ｒ４）は、コルゲート管Ａ１の呼び径（図５では呼び径２０Ａ）に応じたマーキング用指標Ｑ（Ｑ３）が基準指標Ｐに一致するように帯板材２０を長手方向にスライド移動させて、固定用ネジ２６で切断具本体１３に固定することにより、そのコルゲート管Ａ１の口径に応じた切断用指標Ｒ（Ｒ３）で、回転刃体１４から管長手方向に所定長さＬだけ離れた位置を指示するように設けてある。
【００３８】
そして、切断用指標Ｒ（Ｒ３）の位置が被覆体Ａ２の端面Ａ３の位置に一致するように切断具本体１３でコルゲート管Ａ１を把持して、その切断具本体１３を回動操作することにより、切断位置から所定長さ（外周山部１０の６山分に寸法公差を加えた長さ）Ｌ分の被覆体Ａ２を取り除いてある状態でコルゲート管Ａ１を切断しながら、切断位置からワンタッチ継手Ｂへの挿入深さＤに相当する距離だけ離れた位置の管外周面（被覆体外周面）にマークＭを書き込めるようにしてある。
その他の構成は第１実施形態と同様である。
【００３９】
〔その他の実施形態〕
１．本発明による管切断具は、可撓管以外の金属製管や樹脂製管の切断端部に、例えば、雄ネジ部などを形成する範囲を表示するために、管の切断位置から管長手方向に所定距離だけ離れた管外周面にマークを形成するものであっても良い。２．本発明による管切断具は、管外周面にけがき針などでけがきマークを形成するものであっても良い。
３．本発明による管切断具は、管本体を被覆体で被覆して構成してある管の管本体外周面にマークを形成可能なマーカーを設けてあっても良い。
４．本発明による管切断具は、単一の呼び径の管のみに対応して使用できるものであっても良い。
【図面の簡単な説明】
【図１】  ワンタッチ継手の縦断面図
【図２】  ワンタッチ継手に可撓管を接続した状態を示す縦断面図
【図３】  管切断具の斜視図
【図４】  管切断具の使用方法の説明図
【図５】  第２実施形態の管切断具の使用方法の説明図
【符号の説明】
１３  切断具本体
１４  刃部
１９  マーカー
２０  指標部材
Ａ    管
Ａ１  管本体
Ａ２  被覆体
Ａ３  端面
Ｄ    所定距離
Ｍ    マーク
Ｐ    基準指標
Ｑ  マーキング用指標
Ｒ    切断用指標
【図１】
0003868320.tif 000002
【図２】
0003868320.tif 000003
【図３】
0003868320.tif 000004
【図４】
0003868320.tif 000005
【図５】
0003868320.tif 000006